(57)【特許請求の範囲】
【請求項１】
映像源から投射された映像光を反射させて観察可能に表示し、
レンズ面及び非レンズ面を備える単位レンズが複数配列されたフレネルレンズ形状を背面側に有するレンズ層と、
前記レンズ層の前記レンズ面及び前記非レンズ面上に形成される反射部と、
を備える反射スクリーンの製造法であって、
前記単位レンズの配列方向において前記レンズ面側から反射材料を塗布し、前記レンズ面及び前記非レンズ面上に、前記レンズ面上の方が前記非レンズ面上よりも厚みの厚い反射部を形成する反射部形成工程を備えること、
を特徴とする反射スクリーンの製造方法。
【請求項２】
請求項１に記載の反射スクリーンの製造方法において、
前記反射部形成工程の後に、前記反射部の前記レンズ層とは反対側の面に光吸収材料を塗布して光吸収層を形成する光吸収層形成工程を備えること、
を特徴とする反射スクリーンの製造方法。
【発明の詳細な説明】
【技術分野】
【０００１】
本発明は、反射スクリーンの製造方法に関するものである。
【背景技術】
【０００２】
近年、反射スクリーンに映像を投射する映像源として、至近距離からの投写で大画面表示を実現する短焦点型の映像投射装置（プロジェクタ）等が広く利用されている。このような短焦点型の映像投射装置は、反射スクリーンに対して、上方又は下方から従来の映像源よりも大きな入射角度で投射することができ、反射スクリーンを用いた映像表示システムの省スペース化等に寄与している。
そして、このような短焦点型の映像投射装置によって投射された映像光を良好に表示するために、単位レンズが複数配列されて形成されたリニアフレネルレンズ形状やサーキュラーフレネルレンズ形状を有するレンズ層の表面に反射層を形成した反射スクリーン等が様々に開発されている（例えば、特許文献１，２）。
また、反射スクリーンを用いた映像表示システムとして、明室環境下でもコントラスト等が良好な映像を表示可能である映像表示システムへの需要が高まっている。
【先行技術文献】
【特許文献】
【０００３】
【特許文献１】特開平８−２９８７５号公報
【特許文献２】特開２００８−７６５２２号公報
【発明の概要】
【発明が解決しようとする課題】
【０００４】
上述のようなレンズ層を用いた反射スクリーンでは、各レンズ形状を構成する単位レンズのレンズ形状の表面に反射層を形成し、投影された映像光を反射して映像を表示する。このような反射スクリーンの中には、映像光の反射に寄与しない非レンズ面に光を吸収する作用を有する光吸収層を形成することにより、外光や迷光等を吸収させ、コントラストの向上等を図ったものがある。
しかし、単位レンズは非常に微細であるため、反射層及び光吸収層を精度よく形成することは困難である。
特許文献１，２に記載の反射スクリーンは、上述のような光吸収層を備えておらず、また、光吸収層を備えた反射スクリーンの製造方法に関しては、一切開示されていない。
【０００５】
本発明の課題は、明室環境下であっても明るくコントラストが高い良好な映像を表示できる高品位な反射スクリーンを容易に製造可能な反射スクリーンの製造方法を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、映像源（３０）から投射された映像光を反射させて観察可能に表示し、レンズ面（１１１ａ）及び非レンズ面（１１１ｂ）を備える単位レンズ（１１１）が複数配列されたフレネルレンズ形状を背面側に有するレンズ層（１１）と、前記レンズ層の前記レンズ面及び前記非レンズ面上に形成される反射部（１２）と、を備える反射スクリーンの製造法であって、前記単位レンズの配列方向において前記レンズ面側から反射材料を塗布し、前記レンズ面及び前記非レンズ面上に、前記レンズ面上の方が前記非レンズ面上よりも厚みの厚い反射部を形成する反射部形成工程を備えること、を特徴とする反射スクリーンの製造方法である。
請求項２の発明は、請求項１に記載の反射スクリーンの製造方法において、前記反射部形成工程の後に、前記反射部（１２）の前記レンズ層（１１）とは反対側の面に光吸収材料を塗布して光吸収層（１３）を形成する光吸収層形成工程を備えること、を特徴とする反射スクリーンの製造方法である。
【発明の効果】
【０００８】
本発明によれば、レンズ面と非レンズ面で反射材料や光吸収材料を塗り分ける等の複雑な工程を経ることなく、容易に高品位の反射スクリーンを製造できる。また、本発明によれば、効率よく映像光を観察者側へ反射し、かつ、照明光等の不要な外光を吸収したり、観察者とは離れた方向へ反射したりすることができ、明室環境下でも明るくコントラストの高い良好な映像を表示できる反射スクリーンを製造することができる。
【図面の簡単な説明】
【０００９】
【図１】実施形態の反射スクリーン１０を備える映像表示システム１を示す図である。
【図２】実施形態の反射スクリーン１０の層構成を示す図である。
【図３】実施形態の反射スクリーン１０の製造方法を説明する図である。
【発明を実施するための形態】
【００１０】
以下、図面等を参照して、本発明の実施形態について説明する。
なお、図１を含め、以下に示す各図は、模式的に示した図であり、各部の大きさ、形状は、理解を容易にするために、適宜誇張している。従って、各光線の入射角度等に関して、実際の角度とは異なる場合がある。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００１１】
（実施形態）
図１は、本実施形態の反射スクリーン１０を備える映像表示システム１を示す図である。図１（ａ）は、この映像表示システム１の斜視図であり、図１（ｂ）は、この映像表示システムの側面図である。
この映像表示システム１は、反射スクリーン１０、映像源３０等を有している。本実施形態では、反射スクリーン１０が映像源３０から投影された映像光Ｌを反射して、その画面上に映像を表示する一般的な映像表示システムを例に挙げて説明するが、これに限らず、映像表示システム１は、例えば、映像光Ｌを映像源３０から投射するフロントプロジェクションテレビシステム等としてもよいし、反射スクリーン１０と映像源３０と反射スクリーンの観察画面上の位置を検出する位置検出部やパーソナルコンピュータ等を備えたインタラクティブボードシステムとしてもよい。
映像源３０は、映像光Ｌを反射スクリーンへ投影する映像投射装置であり、汎用のプロジェクタ等を用いることができる。この映像源３０は、図１（ｂ）に示すように、反射スクリーン１０の使用状態におけるスクリーンの画面中央よりも下方側であって、反射スクリーン１０の厚み方向における位置が従来のプロジェクタに比べて大幅に近い位置から映像光Ｌを反射スクリーン１０に投射可能な短焦点型の汎用プロジェクタである。
【００１２】
反射スクリーン１０は、映像源３０が投射した映像光Ｌを観察者Ｏ側へ向けて反射し、映像を表示する。使用状態において、この反射スクリーン１０の観察画面は平面状であり、観察者Ｏ側から見て、その観察画面は、長辺方向が画面左右方向に平行となる略矩形状である。なお、以下の説明中において、画面上下方向、画面左右方向とは、特に断りが無い場合、この反射スクリーン１０の使用状態における画面上下方向（鉛直方向）、画面左右方向（水平方向）であるとする。
この反射スクリーン１０は、その背面側に、平板状の支持板５０が、粘着材等からなる不図示の接合層を介して設けられており、この支持板５０により、その平面性を維持している。本実施形態の支持板５０は、光透過性を有していない。
【００１３】
図２は、本実施形態の反射スクリーン１０の層構成を示す図である。
図２（ａ）は、反射スクリーン１０のスクリーン面に直交し、使用状態における画面上下方向に平行な断面での断面の一部を拡大して示し、図２（ｂ）は、図２（ａ）における断面の単位レンズ１１１をさらに拡大して示している。また、図２（ｃ）は、本実施形態の別の単位レンズ１１１の例を、図２（ｂ）と同様の断面において示している。なお、図２では、理解を容易にするために、支持板５０や基材層１４等は適宜省略して示してある。
反射スクリーン１０は、その映像源３０側（観察面側）から順に、表面機能層１５、基材層１４、レンズ層１１、反射部１２、光吸収層１３等を備えている。ここで、スクリーン面とは、この反射スクリーン１０において、スクリーン全体として見たときにおける、反射スクリーン１０の平面方向となる面を示すものであり、本明細書中、及び、特許請求の範囲においても同一の定義として用いている。この反射スクリーン１０のスクリーン面は、反射スクリーン１０の観察画面に平行である。
本実施形態の反射スクリーン１０は、例えば、画面サイズが対角８０インチサイズとすることができる。
【００１４】
基材層１４は、この反射スクリーン１０の基材となる透明又は半透明のシート状の部材である。基材層１４の映像源側（観察面側）には、表面機能層１５が一体に形成され、背面側（裏面側）には、レンズ層１１が一体に形成されている。
この基材層１４としては、例えば、厚さが１００〜２００μｍであるＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂等の樹脂製のシート状部材を用いることができる。
【００１５】
また、基材層１４は、所定の透過率とするために、グレー等の染料や顔料等を含有することにより着色が施されていてもよいし、視野角を広げるために、拡散材を含有していてもよいし、顔料及び拡散材等を含有する層としてもよい。また、基材層１４は、単層ではなく、複数の層が一体に積層された形態としてもよく、例えば、上述のような拡散材を含有する層と透明な層等が一体に積層された形態としてもよい。
本実施形態の基材層１４は、厚さ２００μｍのＭＢＳ樹脂製であり、拡散材を含有するシート状の部材（拡散シート）を用いている。
【００１６】
レンズ層１１は、基材層１４の背面側に設けられた光透過性を有する層であり、その背面側（基材層１４とは反対側）の面には、フレネルレンズ形状が形成されている。
レンズ層１１に形成されるフレネルレンズ形状は、単位レンズが一方向に配列されたリニアフレネルレンズ形状としてもよいし、単位レンズが同心円状に配列されたサーキュラーフレネルレンズ形状としてもよく、反射スクリーン１０の使用環境や映像源３０の光学特性等に合わせて、適宜最適な方を選択して用いることができる。
本実施形態では、レンズ層１１は、リニアフレネルレンズ形状が形成されている例を挙げて説明する。本実施形態のレンズ層１１のリニアフレネルレンズ形状は、単位レンズ１１１がスクリーン面に沿って画面上下方向に複数配列されることにより形成されている。
【００１７】
レンズ層１１は、紫外線硬化型樹脂により形成されている。なお、レンズ層１１は、電子線硬化型樹脂等の他の電離放射線硬化型樹脂により形成してもよい。
このレンズ層１１は、例えば、表面機能層１５が一方の面に形成された基材層１４の他方の面に、紫外線成形法等によりレンズ層１１を形成することにより作成することができる。レンズ層１１（単位レンズ１１１）を紫外線成形法により形成することにより、よりピッチの細かく、かつ、形状精度の高い単位レンズ１１１を形成することができる。なお、レンズ層１１の形成方法は、適宜自由に選択してよく、この限りではない。
【００１８】
単位レンズ１１１は、スクリーン面に直交する方向（反射スクリーン１０の厚み方向）に平行であって単位レンズ１１１の配列方向（反射スクリーン１０の画面上下方向）に平行な断面における断面形状が、略三角形形状であり、頂点ｔと、フレネルレンズ形状のレンズ面であるレンズ面１１１ａと、頂点ｔを挟んでレンズ面１１１ａと対向する非レンズ面１１１ｂとを有している。本実施形態の単位レンズ１１１は、背面側に凸となる略三角柱形状であり、その長手方向は、画面左右方向に平行であり、画面上下方向に配列されている。
単位レンズ１１１は、反射スクリーン１０の使用状態において、レンズ面１１１ａが頂点ｔを挟んで非レンズ面１１１ｂよりも鉛直方向上側に位置する。すなわち、鉛直方向において頂点ｔに対して、非レンズ面１１１ｂが映像源３０側に位置し、レンズ面１１１ａが映像源３０とは反対側に位置する。
【００１９】
単位レンズ１１１は、図２（ｂ）に示すように、レンズ面１１１ａがスクリーン面に平行な面となす角度がαであり、非レンズ面１１１ｂがスクリーン面に平行な面となす角度がβ（β＞α）である。また、単位レンズ１１１の配列ピッチがＰである。
単位レンズ１１１の配列ピッチＰや角度α、角度βは、映像光を投影する映像源３０（プロジェクタ）の画素（ピクセル）の大きさや、映像源３０の映像光の投射角度（スクリーン面に対する映像光の入射角度）等に応じて、適宜変更可能である。
図２では、理解を容易にするために、単位レンズ１１１の配列ピッチＰ、角度α及び角度βは、一定である例を示しているが、実際には、角度αは、単位レンズ１１１の配列方向に沿って所定の角度範囲内でしだいに変化している。
【００２０】
一例として、本実施形態の単位レンズ１１１は、配列ピッチＰが１００μｍ、角度αが６〜２０°の範囲内で配列方向に沿って画面上下方向上側となるにしたがって大きくなるように連続的に変化しており、角度βが９０°である。また、本実施形態の単位レンズ１１１（レンズ層１１）は、ウレタンアクリレート樹脂製であり、その屈折率は、１．５５である。
なお、配列ピッチＰが単位レンズ１１１の配列方向に沿ってしだいに変化してもよいし、単位レンズ１１１は、反射スクリーン１０を使用環境や所望する光学性能等に合わせて、適宜その形状を選択してよい。
【００２１】
反射部１２は、光を反射する作用を有し、少なくともレンズ面１１１ａ上（レンズ面１１１ａの背面側）に形成されている。
反射部１２は、白色系や銀色系の塗料や、白色形や銀色系の顔料やビーズ又は金属の微細な蒸着膜を粉砕した粒子等を含有する紫外線硬化型樹脂や熱硬化型樹脂等により形成される。また、反射部１２は、明るい映像を表示するために、その反射率が４０％以上とすることが好ましく、７０％以上とすることがさらに好ましい。この反射部１２により、レンズ面１１１ａに入射する光は、反射される。
【００２２】
本実施形態の反射部１２は、レンズ面１１１ａを被覆する形態となっており、銀色の顔料を含有する紫外線硬化型樹脂により形成されている。
なお、これに限らず、図２（ｃ）に示すように、反射部１２は、非レンズ面１１１ｂ上にも形成されていてもよい。この場合には、非レンズ面１１１ｂ上に形成された反射部１２ｂの厚さは、レンズ面１１１ａ上に形成された反射部１２ａの厚さに比べて大幅に薄いものとすることが、外光や迷光を吸収し、コントラストを向上する観点から好ましい。また、図示しないが、反射部１２は、レンズ面１１１ａと、非レンズ面１１１ｂの頂点ｔ近傍の領域に形成される形態としてもよい。この場合にも、非レンズ面１１１ｂ上に形成される反射部１２の厚さは、レンズ面１１１ａ上に形成される反射部１２の厚さよりも薄い方が好ましい。
【００２３】
光吸収層１３は、光を吸収する作用を有する層であり、レンズ層１１の非レンズ面１１１ｂと、レンズ面１１１ａ上の反射部１２とを被覆するように形成されている。この光吸収層１３は、黒色等の暗色系の塗料や、暗色系の顔料や染料、カーボン粒子等を含有する紫外線硬化型樹脂や熱硬化型樹脂等により形成される。
本実施形態の光吸収層１３は、図２（ａ）に示すように、単位レンズ１１１間の谷部分を充填するように形成されているが、これに限らず、例えば、単位レンズ１１１及び反射部１２の凹凸形状に沿って所定の厚さで形成されてもよい。このとき、十分な光吸収作用を有するならば、光吸収層１３の厚さは一定でなくともよい。
【００２４】
表面機能層１５は、基材層１４の観察者Ｏ側（映像源側）に設けられる層である。この表面機能層１５は、反射防止機能や防眩機能、紫外線吸収機能、防汚機能や帯電防止機能等、適宜必要な機能を１つ又は複数選択して設けることができる。
この表面機能層１５は、基材層１４とは別層であって不図示の粘着材等により基材層１４に接合される形態としてもよいし、基材層１４のレンズ層１１とは反対側の面に直接形成してもよい。
本実施形態の表面機能層１５は、防眩機能及びハードコート機能を有しており、基材層１４の映像源３０側の表面に、ハードコート機能を有する電離放射線硬化型樹脂（例えば、ウレタンアクリレート等）を膜厚２０μｍ程度で塗布して硬化させることにより、形成されている。
【００２５】
ここで、図２（ａ）を参照しながら、本実施形態の反射スクリーン１０へ入射する映像光及び外光の様子を説明する。なお、図２（ａ）では、理解を容易にするために、表面機能層１５と基材層１４とレンズ層１１とは、同じ屈折率であるものとして示している。
映像源３０から投影された映像光Ｌ１は、反射スクリーン１０の下方から入射し、表面機能層１５及び基材層１４を透過してレンズ層１１の単位レンズ１１１へ入射する。そして、図２（ａ）に示すように、映像光Ｌ１は、レンズ面１１１ａに入射して反射部１２によって反射され、観察可能な光線として観察者Ｏ側へ向かう。ここで、角度βが反射スクリーン１０の画面上下方向の各点における映像光Ｌの入射角度よりも大きく（望ましくは９０°）、かつ、映像光Ｌが反射スクリーン１０の下方から投射されるため、非レンズ面１１１ｂには、映像光Ｌ１が入射しない。
【００２６】
一方、照明光等の不要な外光は、主として反射スクリーン１０の上方から入射し、表面機能層１５及び基材層１４を透過してレンズ層１１の単位レンズ１１１へ入射する。そして、一部の外光は、図２（ａ）に示す外光Ｇ１のように、非レンズ面１１１ｂに入射して光吸収層１３に吸収される。
なお、反射部が非レンズ面１１１ｂ上に形成されている場合には、非レンズ面１１１ｂ上に形成される反射部の厚さはレンズ面１１１ａ上に形成された反射部１２に比べて薄く、十分な光反射性を有していないので、その殆どが光吸収層１３へ入射して吸収される。従って、非レンズ面１１１ｂ上に形成された反射部によって外光が反射されて生じる迷光等を大幅に抑えることができる。
【００２７】
また、反射スクリーン１０に上方から入射する外光の一部である外光Ｇ２は、図２（ａ）に示すように、レンズ面１１１ａで反射して、反射スクリーン１０の下方側であって観察者の視野角範囲外へ向かうので、観察者Ｏ側には直接届かない。
従って、上述のような光吸収層１３による外光吸収作用や、反射部１２による観察者Ｏの観察角度外への外光反射作用により、映像のコントラストを上げることができる。
よって、本実施形態の反射スクリーン１０は、レンズ面１１１ａ上に形成された反射部１２によって効率よく映像光Ｌを観察者Ｏ側へ反射でき、かつ、光吸収層１３によって外光Ｇ１やレンズ層１１内で発生した迷光等を吸収でき、さらに、外光Ｇ２を観察者Ｏには届かない方向へ反射するので、明室環境下であっても、明るく、コントラストの高い良好な映像を表示できる。
【００２８】
（反射スクリーンの製造方法）
図３は、本実施形態の反射スクリーン１０の製造方法を説明する図である。
なお、図３においては、反射スクリーン１０の単位レンズ１１１の配列方向に平行であってスクリーン面に直交する方向（反射スクリーン１０の厚さ方向）に平行な断面の一部を拡大して示している。
まず、図３（ａ）に示すように、基材層１４を用意し、図３（ｂ）に示すようにその一方の面に表面機能層１５を形成する。
そして、次に、図３（ｃ）に示すように、基材層１４の表面機能層１５とは反対側の面に、レンズ層１１を形成する。このレンズ層１１は、紫外線硬化型樹脂が充填されたフレネルレンズ形状を賦形する成形型に基材層１４を押圧し、紫外線を照射して硬化させた後に成形型を離型する紫外線成形法等により作成される。レンズ層１１の形成方法は、適宜選択してよく、この限りではない。また、レンズ層１１は、上述のように、電子線硬化型樹脂等の他の電離放射線硬化型樹脂により形成してもよい。
【００２９】
次に、図３（ｄ）に示すように、オフセット印刷により、レンズ面１１１ａ上に反射部１２を形成する。ブランケット胴４０は、その外周面に、不図示の刷胴等から反射部１２を形成する材料（本実施形態では、銀色の顔料を含有する紫外線硬化型樹脂）が転写されており、ブランケット胴４０が回転しながら図３（ｄ）に示す矢印Ａ方向へ進むことにより、レンズ面１１１ａ上に所定の厚さで、反射部１２を形成する材料が塗布される。
このとき、ブランケット胴４０は、単位レンズ１１１の配列方向において、図３（ｄ）に示す矢印Ａ方向、すなわち、レンズ面１１１ａ側から非レンズ面１１１ｂ側へ進む。そして、ブランケット胴４０は、単位レンズ１１１を図３（ｄ）に示す矢印Ｂ方向へ加圧するため、単位レンズ１１１がやや非レンズ面１１１ｂ側へ倒れる。
【００３０】
ブランケット胴４０が単位レンズ１１１の配列方向においてレンズ面１１１ａ側から矢印Ａ方向へ進むことにより、図３（ｅ）に示すように、レンズ面１１１ａ上には、反射部１２を形成する反射材料が塗布され、その塗膜が形成されるが、非レンズ面１１１ｂ上には反射部１２を形成する反射材料は塗布されない、もしくは、塗布された場合であってもその厚さは、レンズ面１１１ａ上に形成される塗膜に比べて大幅に薄いものとなる。
【００３１】
形成された反射材料の塗膜は、紫外線照射等により硬化され、図３（ｅ）に示すように、反射部１２となる。
なお、反射部１２の形成方法は、単位レンズ１１１の配列方向においてレンズ面１１１ａ側であってレンズ面１１１ａに対して交差する方向から、反射材料を塗布、噴射、転写の何れかの方法により、形成されることが好ましい。特に、上述のオフセット印刷のように、ブランケット胴４０により所定の方向から単位レンズ１１１を倒すようにして塗布することが好ましい。
【００３２】
次に、図３（ｆ）に示すように、スクリーン印刷等により、光吸収層１３を形成する光吸収材料（本実施形態であれば、黒色顔料を含有する熱硬化性樹脂）を塗布して、硬化させ、光吸収層１３が形成される。
なお、この光吸収材料を塗布する方法は、スクリーン印刷に限らず、例えば、グラビアリバースコート、インクジェット方式、フローコート方式、ダイコート方式等、公知の方法を適宜用いることができる。
【００３３】
次に、所定の大きさに裁断するなどにより、反射スクリーン１０が完成する。
なお、上述の図３では、理解を容易にするために、枚葉状の基材層１４を使用する例を示したが、これに限らず、ウェブ状の基材層１４を用いて反射スクリーン１０を作製可能である。
また、本実施形態では、図３に示すように、表面機能層１５は、レンズ層１１を形成する前に基材層１４の一方の面に形成される例を示したが、これに限らず、例えば、光吸収層１３形成後に基材層１４の単位レンズ１１１が形成される面とは反対側の面に形成してもよいし、形成する順序は、適宜選択して形成してよい。
【００３４】
本実施形態によれば、上述のような製造方法を採用することにより、反射材料と光吸収材料との塗り分ける等といった煩雑な工程を経ることなく、容易に良好な映像を表示できる反射スクリーン１０を製造できる。
また、ウェブ状の基材層を用いて作製する場合には、連続してレンズ層１１を形成し、さらに、連続して反射部１２及び光吸収層１３を形成することができ、大量生産も容易に行え、生産コストを低減できる。
さらに、本実施形態によれば、上述のような製造方法により、効率よく映像光を観察者側へ反射し、かつ、照明光等の不要な外光は吸収したり、観察者とは離れた方向へ反射したりすることができ、明室環境下でも明るくコントラストの高い良好な映像を表示できる反射スクリーン１０とすることができる。
【００３５】
（変形形態）
以上説明した実施形態に限定されることなく、種々の変形や変更が可能であって、それらも本発明の範囲内である。
（１）本実施形態において、反射部１２は、白色や銀色の塗料等が用いられる例を示したが、これに限らず、例えば、銀やアルミニウム等の金属の蒸着膜や転写箔等により形成されてもよい。
【００３６】
（２）本実施形態において、反射スクリーン１０のレンズ層１１の背面側にはリニアフレネルレンズ形状が形成される例を示したが、これに限らず、例えば、単位レンズが同心円状に配列されたサーキュラーフレネルレンズ形状が形成されたレンズ層としてもよい。
【００３７】
（３）本実施形態において、反射スクリーン１０は、基材層１４，レンズ層１１，反射部１２，光吸収層１３，表面機能層１５等を備える例を示したが、これに限らず、例えば、光を拡散させる拡散材を含有した光拡散層や、反射スクリーンの剛性を高め、平面性を維持するためのガラス製や樹脂製の基板層や、コントラストを向上させる着色層や、タッチパネル層等を備えた形態としてもよい。
【００３８】
（４）本実施形態において、反射スクリーン１０は、その背面側に設けられた支持板５０に粘着材層等を介して接合され、略平板状である例を示したが、これに限らず、例えば、粘着材層等を介して壁面に接合される形態としてもよい。
また、本実施形態において、反射スクリーン１０は、使用状態及び不使用状態において略平板状である例を示したが、これに限らず、不使用時には巻き取って保管できる巻き取り可能な形態としてもよい。このような形態の場合には、支持板５０等を設けず、反射スクリーン１０の背面側を、光を透過しにくい布製又は樹脂製の遮光幕や耐傷性を向上させる保護層で被覆する形態としてもよい。
【００３９】
（５）本実施形態において、単位レンズ１１１は、その配列方向に平行であって、反射スクリーン１０の厚み方向に平行な断面において、レンズ面１１１ａ，非レンズ面１１１ｂがいずれも直線状である例を示したが、これに限らず、例えば、少なくとも何れかが曲線状であってもよいし、一部が曲面等であってもよい。また、レンズ面１１１ａ及び非レンズ面１１１ｂが複数の面から構成される形態であり、シート面に直交かつ単位レンズの配列方向に平行な断面において、その断面形状が例えば、略五角柱形状や略六角柱形状となる形状としてもよい。
【００４０】
（６）本実施形態において、反射スクリーン１０の使用状態において、映像光Ｌの主たる入射方向は、反射スクリーン１０の下方からであり、単位レンズ１１１は、画面左右方向（水平方向）に同一断面形状で延在し、画面上下方向（垂直方向）に多数並んでいる例を示したが、これに限らず、例えば、映像光Ｌの主たる入射方向が画面上方である場合には、それに合わせて、本実施形態の反射スクリーン１０を上下反転させた形態とすればよい。
【００４１】
（７）本実施形態において、レンズ層１１が基材層１４の片面に紫外線成形により一体に形成される例を示したが、これに限らず、例えば、押し出し成形等によりレンズ層を形成してもよい。このとき、レンズ層１１に十分な厚みがあれば、基材層１４を備えない形態としてもよいし、レンズ層１１と基材層１４と一体に積層した状態で押し出し成形してもよい。これにより、大量生産がさらに容易になり、安価に提供できる。また、押し出し成形に限らず、射出成形やキャスト成形等、反射スクリーンの画面サイズ等に応じて、その製造方法は適宜選択してよい。
【００４２】
（８）本実施形態において、反射部１２は、非レンズ面１１１ｂ上には形成されない例を示したが、これに限らず、レンズ面１１１ａ上の反射部１２に比べて非常に薄い厚さであり、かつ、十分な反射性能を有していなければ非レンズ面１１１ｂ上に形成されていてもよい。このような形態とした場合にも、非レンズ面１１１ｂに入射した光（主として外光や迷光）は、大半が光吸収層１３によって吸収されるので、コントラストの低下を抑制できる。しかも、製造がより容易になり、かつ作業時間も低減できる。
【００４３】
（９）本実施形態では、反射スクリーン１０と映像源２０とを備える映像表示システム１を示したが、これに限らず、例えば、パーソナルコンピュータ等の制御部や、使用者が触れた反射スクリーン１０の画面上の位置を検出する位置検出装置を備え、位置検出装置及び映像源をパーソナルコンピュータ等の制御部と通信可能としたインタラクティブボードシステムとしてもよい。このような形態とすれば、例えば、使用者が反射スクリーン１０の観察画面上にタッチペンや指等により描画した文字や図形等の情報を、投影画像と組み合わせ、図形や文字等が投影画像上に描かれたように表示したり、それらの情報を含む投影画像等をデータ化して保存したりすることができる。
また、反射スクリーン１０は、一般的なホワイトボード等のように、マーカー等の所定の筆記具を用いてその表面（観察画面）に手書きで文字や図形等の情報を描画したり、描画した文字等を消去したりすることができる形態としてもよい。
【００４４】
なお、本実施形態及び変形形態は、適宜組み合わせて用いることもできるが、詳細な説明は省略する。また、本発明は以上説明した実施形態によって限定されることはない。
【符号の説明】
【００４５】
１    映像表示システム
１０    反射素スクリーン
１１    レンズ層
１１１    単位レンズ
１１１ａ    レンズ面
１１１ｂ    非レンズ面
１２    反射部
１３    光吸収層
１４    基材層
１５    表面機能層
【図１】
0005862149.tif 000002
【図２】
0005862149.tif 000003
【図３】
0005862149.tif 000004